(57)【特許請求の範囲】
【請求項１】
ダイキャスト成形したガス管接続具の一端にガス入口、他端にガス出口を設けた本体に、上記入口に続く入口室と、上記出口に続く出口室とを区画して設け、同本体の側部には上記入口室とガスメータの入口とを連通させる継手を接続する入口側連結口と、上記出口室とガスメータの出口とを連通させる継手を接続する出口側連結口を設け、上記本体には取付け対象に取付けるための耳片を一体に設けてなるガス管接続具において、上記本体の入口室側には、ガスメータ用の小径凹所と大形ガスメータ用の大径凹所を設け、上記小径・大径凹所のいずれかに、ガスメータの入口を連通させる継手を接続する入口側連結口を設けてなることを特徴とするガス管接続具。
【発明の詳細な説明】
【０００１】
【産業上の利用分野】
この発明は液化石油ガス容器から、ガス燃焼器具などの使用側へガスを送るガス供給配管の途中にガスメータを設ける場合などに用いるガス管接続具に関する。
【０００２】
【従来の技術】
図８は従来の液化石油ガス用自動切替式調整器を用いたガス配管を示すもので１、２は液化石油ガス容器である。
３は自動切替式調整器であるが、その詳細は省略する。
【０００３】
５は調整器３の両側のガス入口側接続部であって、この各接続部５に接続した高圧ホース６を各容器１、２に接続する。
また、調整器３のガス出口側接続部７にガスコック９を連結し、このガスコック９を配管１０によりガスメータ１１の入口１２に接続し、ガスメータ１１の出口１３には図示省略してあるガスコンロなどのガス器具に通じるガス供給配管１４を連結する。
【０００４】
【発明が解決しようとする課題】
上記のようなガス配管において、ガスコック９からメータ１１の入口１２に向かう配管１０やガスメータ１１の出口１３に接続する配管１４は複雑に屈曲しているため、配管現場において、ガス管を適宜の長さに切断して両端にねじを切ったものを何本も作り、これをエルボ８で接続しながら配管しなければならないのできわめて手数がかかり、メータ１１が傾斜して取付けられるおそれもあり、接続部分からのガス漏れのおそれもあるなどの問題があった。
【０００５】
この発明の課題は、上記のような従来のガス配管の問題点を解決して簡単に配管でき、ガスメータも正しく取付けることができる配管用接続具を提供することである。
【０００６】
【課題を解決するための手段】
上記課題を解決するためにこの発明は、ダイキャスト成形したガス管接続具の一端にガス入口、他端にガス出口を設けた本体に、上記入口に続く入口室と、上記出口に続く出口室とを区画して設け、同本体の側部には上記入口室とガスメータの入口とを連通させる継手を接続する入口側連結口と、上記出口室とガスメータの出口とを連通させる継手を接続する出口側連結口を設け、上記本体には取付け対象に取付けるための耳片を一体に設けてなるガス管接続具において、上記本体の入口室側には小形ガスメータ用の小径凹所と大形ガスメータ用の大径凹所を設け、上記小径・大径凹所のいずれかに、ガスメータの入口を連通させる継手を接続する入口側連結口を設けてなる構成とするものである。
【０００７】
【作用】
この発明のガス管接続具は上記の構成であるから、液化石油ガス容器に通じるガス供給配管を入口継手を介してガス管接続具の入口に連結し、同接続具の出口にはガス消費側に連通するガス供給配管を連結する。
【０００８】
そして、接続具の側部に設けた入口側連結口とガスメータなどの入口とを継手で連結し、同ガスメータなどの出口と出口側連結口とを継手にて連結すると、エルボや切断したガス管を用いることなく、ガスメータなどの配管ができる。
【０００９】
【実施例】
図１に示す実施例において、１９は接続具本体でダイカスト製であり、その一端に入口２０、他端に横向きの出口２１を設け、この入口２０と出口２１にはそれぞれフランジ２７、２８を設け、これら入口２０と出口２１に連通する入口室２２と出口室２３は隔離されている。また、外側には複数の耳片１７を設け、各耳片１７に取付用孔１８を設けてある。
【００１０】
本体１９の側部には入口室２２に通じる入口側連結口２４と出口室２３に通じる出口側連結口２５を設ける。
【００１１】
この実施例では図２のようにガスメータ２６の入口と上記入口側連結口２４とを継手３８で連結し、同上ガスメータ２６の出口と上記出口側連結口２５を継手３９で連結し、入口２０に液化石油ガス容器などに通じているガス供給配管を接続し、出口２１にはガス消費側に通じるガス供給配管を接続すると、きわめて簡単にガスメータの配管ができる。
【００１２】
図３ないし図７の実施例は、液化ガス容器１、２から自動切替式調整器３までの配管を図８の従来例と同様に高圧ホース６を調整器３の接続部５に接続して行う。
そして、調整器３のガス出口側接続部７にガスコック９を介して接続したガス供給配管１５とガス消費側に通じるガス供給配管１６の間に、この発明の他の実施例であるガス管接続具を介在させる。
【００１３】
この例の接続具もダイカスト製で図３のような小型用接続具Ａと図４のような大型用接続具Ｂの二種類を用意する。
この接続具Ａ、Ｂの本体１９’の外型は全く同一として共通の金型により鋳造できるようにしてある。
【００１４】
接続具Ａ、Ｂの一端に入口２０’、他端に横向きの出口２１’を設け、この入口２０’と出口２１’にはそれぞれフランジ２７’、２８’を設け、これら入口２０’と出口２１’に連通する入口室２２’と出口室２３’は隔離されている。また、外側には複数の耳片１７’を設け、各耳片１７’に取付用孔１８’を設けてある。
【００１５】
上記入口室２２’の下部にはメータ入口接続部２４’を突出状に設け、出口室２３’の下部にはメータ出口接続部２５’と下向きのガス供給配管接続部２６’を突出状に設ける。また、接続部２４’には小型ガスメータ接続用の小径凹所２９と大型メータ接続用の大径凹所３０を内寄りと外寄りに設ける。
【００１６】
そして図３の小型用接続具Ａにおいては、機械加工により小径凹所２９の底部に入口室２２’に通じる小型ガスメータの入口接続口３１を設け、同凹所の内周面には、小型ガスメータの入口接続用の小径の雌ねじ３２を切り、大径凹所３０は鋳放しのままとする。
【００１７】
ダイカストの金型は図３の入口２０’と出口２１’の中心を通る水平の面で上下に分割するもので、その接続部２５’の形成部分にはメータ出口接続用の接続口を形成するための大小のピンを着脱自在とし、小型用接続具Ａの鋳造の際は小径のピンを接続部２５’の形成部に装着することにより出口室２３’に通じる小径のメータ出口接続口３４を形成しておき、鋳造後の機械加工により小径の雌ねじ３５を切る。
【００１８】
さらに、上記接続部２６’に接続するガス供給配管１６は大小共通であるから鋳造時に横向きの出口２１’とともに出口室２３’に通じる下向きの出口３６を設けておき、機械加工により雌ねじ３７を形成する。
【００１９】
また、図４の大型用接続具Ｂの鋳造の際は金型のメータ出口接続部２５’の形成部分に接続口形成用の大形のピンを装着して図４のように大径のメータ出口接続口４０を設け、鋳造後にその内側に大径の雌ねじ４１を機械切削する。
【００２０】
この大型用接続具Ｂの場合は機械加工により大径凹所３０の底部に入口室２２’に通じる大径の大型メータの入口接続口４２を設け、かつ大径の雌ねじ４３を切り小径凹所２９は鋳放しのままとする。
【００２１】
図５ないし図７の符号４５は接続具ＡまたはＢを取付けるベース板でアルミニウム板などからなり、これを建物の壁面などにねじ止めなどの手段で固定し、接続具ＡまたＢの耳片１７’をベース板４５に当てがい、その取付孔１８’に挿入した止ねじ４６をベース板４５のねじ孔にねじ込んで固定する。
【００２２】
図５ないし図７の符号４７は倒立Ｌ形の入口継手で、その下端には前記ガス供給配管１５を連結し、この配管１５を市販の吊バンド、取付足、サドル台座からなる取付金具４４によりベース板４５に適宜の間隔をとって固定する。
【００２３】
継手４７の上端のフランジ４８は複数の止ねじで接続具ＡまたＢのフランジ２７’に固定し、図３、図４のように両フランジ２７’、４８の間にＯリングを挟んで気密を保つ。
【００２４】
また、出口２１’のフランジ２８’には出口継手４９のフランジ５０を複数の止ねじで固定し、この継手４９により出口側のガス供給配管１６を接続する。またフランジ２８’、５０の間にもＯリングを挟んで気密を保つ。
【００２５】
図５は接続具Ａを用いて小型ガスメータ５１を取付けた例で、メータ５１の入口５２を接続具Ａの小型用のメータ入口接続口３１に雌ねじ３２を利用して接続し、同メータ５１の出口５３は小径のメータ出口接続口３４に雌ねじ３５を利用して取付ける。
【００２６】
そして、ガス供給配管１６を図５のように横向きに取付けたときは継手４９を利用し、出口３６は雌ねじ３７にねじ込んだプラグ５４で閉じる。
また、配管１６を出口３６に下向きに取付ける場合は出口２１’を図示省略してある蓋により閉鎖する。
【００２７】
図６は接続具Ｂを用いて大型ガスメータ５５を取付けた例で、メータ５５の入口５６を接続具Ｂの大型用のメータ入口接続口４２に雌ねじ４３を利用して接続し、同メータ５５の出口５７を大径のメータ出口接続口４０に雌ねじ４１を利用して取付ける。
【００２８】
ガス供給配管１６の取付けなどは小型メータのときと同じである。
【００２９】
【効果】
この発明は上記のように液化石油ガス容器側のガス供給配管と消費側のガス供給配管の間に設ける一個のガス管接続具を用いてガスメータのガス入口とガス出口を連結するようにしたので、従来のようにガス管を所定の寸法に切断したものを何本も用意して、このガス管を多くのエルボにより連結して配管するという、きわめて手数のかかる工事が省略され、作業能率が著しく向上する。従来の配管に比較してねじ込み部分が少ないためガス漏れの危険が少ない。メータの入口と出口の寸法を合せる必要がないため取付作業が容易となり、調整器とガスメータとが接続具化できるため、ベース板を壁面に取付け、二次配管を接続するだけであるからガス容器の回りがすっきりする。また、ガスメータ以外の配管にも利用できる。
【００３０】
接続具の出口が横方向と下方向の二種設けてあるので現場の状況に合わせて使用できるなどの効果がある。
【図面の簡単な説明】
【図１】実施例１の拡大縦断正面図
【図２】同上の使用状態の正面図
【図３】実施例２の拡大縦断正面図
【図４】実施例３の拡大縦断正面図
【図５】実施例２を用いたガスメータ取付け状態を示す正面図
【図６】実施例３を用いたガスメータ取付け状態を示す正面図
【図７】同上の側面図
【図８】従来例のガスメータ取付け状態を示す正面図
【符号の説明】
１５  ガス供給配管
１６  ガス供給配管
２０  ガス入口
２１  ガス出口
２２  入口室
２３  出口室
２４  入口側連結口
２５  出口側連結口
２６  ガスメータ
【図１】
0003539640.tif 000002
【図２】
0003539640.tif 000003
【図３】
0003539640.tif 000004
【図４】
0003539640.tif 000005
【図５】
0003539640.tif 000006
【図６】
0003539640.tif 000007
【図７】
0003539640.tif 000008
【図８】
0003539640.tif 000009